(57)【要約】【課題】  断熱性に優れ、しかもプライバシーを保護するとともに衝撃による破損も防止できる二重ガラス戸構造を提供する。【解決手段】  縦方向の仕切り５ａにより６．５ｍｍ幅の中空部５ｂを複数本列設した透明なポリカーボネートからなる中空パネル５を既設のサッシガラス戸１に取付金物１０を介して脱着自在に取り付ける。このとき、中空パネル５と同素材の厚さ１．５ｍｍのスペーサ７をサッシガラス３と中空パネル５との間に配置されるように中空パネル５側に横方向へ貼着し、サッシガラス３と中空パネル５との間に１．５ｍｍ幅の空気層１１をほぼ全面に形成する。しかも、スペーサ７の両端と縦枠６ａとの間に約５ｍｍ幅の結露口８を形成するとともに、下側の横枠６ｂの両端と縦枠６ａとの間に約５ｍｍ幅の結露排出口９を形成する。【選択図】図１
2005155243.tif 000002
【特許請求の範囲】
【請求項１】
既設のガラス戸の室内側全面に縦方向又は横方向に複数に区画された透明又は半透明の中空パネルを脱着自在に取り付け、区画された各中空部の空気層で断熱性を高めるようにした二重ガラス戸構造。
【請求項２】
中空パネルを四枠状のフレームに挿着し、中空パネルとフレームとの間にシーリング材を介装して区画された中空部を密閉できるようにした請求項１記載の二重ガラス戸構造。
【請求項３】
中空パネルとガラス戸のガラス面との間にスペーサを介在させて所定間隔の空気層を形成し、同空気層と中空パネルの各中空部とで二重に断熱できるようにした請求項２記載の二重ガラス戸構造。
【請求項４】
フレームの下部に中空パネルとガラス戸との間に生じた結露水を排水させる排出口を設けた請求項３記載の二重ガラス戸構造。
【請求項５】
中空パネルがポリカーボネートで構成されたものである請求項１〜４いずれか記載の二重ガラス戸構造。
【発明の詳細な説明】
【技術分野】
【０００１】
本発明は、建物などの既設のガラス戸に別体のパネルを脱着自在に取り付けて断熱性を向上させる二重ガラス戸構造に関する。
【背景技術】
【０００２】
従来、既設のガラス戸のガラス面に別体のパネルを脱着自在に取り付けて断熱性を向上させる技術は特許文献１，２に開示されている。これらの技術は、ガラス戸のガラス板露出寸法に相当する大きさを有するパネル本体と、パネル本体の一面に配設されガラス板に止着可能な吸盤とを具備し、ガラス戸のガラス板に吸盤を押し付けた後、パネル本体の周縁をガラス戸に封止することで取り付けることを特徴とするものである。
【０００３】
ところで、前記構成の二重ガラス戸構造は、既設のガラス戸のガラス面とパネルとの間の空気層のみで断熱層を形成するから、空気層を確実に密閉しないと断熱効果を十分に発揮できない問題があった。また、後付けのパネルが一枚物の透明な板状であるから、外部から室内が見えてプライバシーの点で問題があり、さらに何らかの衝撃が加わった場合は破損してケガをする恐れがあった。
【特許文献１】特開平７−２８６４８１号公報
【特許文献２】特開２００１−１６４８４３号公報
【発明の開示】
【発明が解決しようとする課題】
【０００４】
本発明が解決しようとする課題は、従来のこれらの問題点を解消し、断熱性に優れ、しかもプライバシーを保護するとともに衝撃による破損も防止できる二重ガラス戸構造を提供することにある。
【課題を解決するための手段】
【０００５】
かかる課題を解決した本発明の構成は、
１）  既設のガラス戸の室内側全面に縦方向又は横方向に複数に区画された透明又は半透明の中空パネルを脱着自在に取り付け、区画された各中空部の空気層で断熱性を高めるようにした二重ガラス戸構造。
２）  中空パネルを四枠状のフレームに挿着し、中空パネルとフレームとの間にシーリング材を介装して区画された中空部を密閉できるようにした前記１）記載の二重ガラス戸構造
３）  中空パネルとガラス戸のガラス面との間にスペーサを介在させて所定間隔の空気層を形成し、同空気層と中空パネルの各中空部とで二重に断熱できるようにした前記２）記載の二重ガラス戸構造
４）  フレームの下部に中空パネルとガラス戸との間に生じた結露水を排水させる排出口を設けた前記３）記載の二重ガラス戸構造
５）  中空パネルがポリカーボネートで構成されたものである前記１）〜４）いずれか記載の二重ガラス戸構造
にある。
【発明の効果】
【０００６】
本発明によれば、複数の中空部が空気層となり、既設のガラス戸とパネルとの間に形成した従来の空気層と比較して空気を良好に封止して断熱効果が高まる。また、複数の中空部により外光が屈折して外部から見えにくくなりプライバシーを保護できる。さらに、複数の中空部により一枚物の板状と比較して強度が向上し、ひび割れや欠け等の破損を防止できる。
【発明を実施するための最良の形態】
【０００７】
本発明の中空パネルとしては、複数の細長の中空部を縦方向や横方向に列設したものがあり、これに複数本の細かい条溝を形成したりシボを形成して外部からより見えないようにすることができる。また、一般的に透明のものを用いるが、必要に応じて半透明や着色透明のものを用いてもよい。材質はポリカーボネートやアクリル樹脂、塩化ビニル樹脂などがあるが、高強度を有し紫外線を通しにくいポリカーボネートが実用的である。
【０００８】
中空パネルの周縁部には軟質ゴム等のシーリング材を設けると、空気層を確実に封止してより断熱効果を高めることができる。また、中空パネルとガラス戸のガラス面との間に所定厚みのスペーサを介在させて所定間隔の空気層を形成すると、中空部と二重の空気層が形成されて断熱性がさらに向上する。以下、本発明の実施例を図面に基づいて具体的に説明する。
【実施例１】
【０００９】
図１〜３に示す実施例は、戸建住宅のサッシガラス戸に中空パネルを取り付けて二重ガラス戸構造とした例である。図１は実施例の二重ガラス戸の正面図、図２は図１のＡ−Ａ断面図、図３は図１のＢ−Ｂ断面図である。
【００１０】
図中、１はサッシガラス戸、２ａはサッシ横枠、２ｂはサッシ縦枠、３はサッシガラス、４はガラス押えビート、５は中空パネル、５ａは仕切り、５ｂは中空部、６ａは縦枠、６ｂは横枠、７はスペーサ、８は結露口、９は結露排出口、１０は取付金物、１１は空気層、１２はシーリング材である。
【００１１】
本実施例の中空パネル５は、図２，３に示すように厚さ４ｍｍで縦方向の仕切り５ａにより６．５ｍｍ幅の中空部５ｂを複数本列設した透明なポリカーボネート製のパネルである（ツインパネルＰＣ：商品名，宇部日東化成株式会社製）。中空部５ｂの開放側には軟質ゴム等からなるシーリング材１２で封止して中空部５ｂを密閉し、周縁部に縦枠６ａと横枠６ｂをそれぞれ取り付けている。
【００１２】
この中空パネル５を既設のサッシガラス戸１に略Ｚ字状に折曲した取付金物１０を介して脱着自在に取り付ける。取付金物１０はこの先端をガラス押えビート４に嵌入させて強固に固定する。このとき、中空パネル５と同素材の厚さ１．５ｍｍのスペーサ７をサッシガラス３と中空パネル５との間に配置されるように中空パネル５側に横方向へ貼着し、サッシガラス３と中空パネル５との間に１．５ｍｍ幅の空気層１１をほぼ全面に形成する。しかも、スペーサ７の両端と縦枠６ａとの間に約５ｍｍ幅の結露口８を形成するとともに、下側の横枠６ｂの両端と縦枠６ａとの間に約５ｍｍ幅の結露排出口９を形成している。
【００１３】
本実施例はこのように構成したから、複数の中空部５ｂに空気が良好に封止されて極めて高い断熱効果が得られる。また、中空部５ｂに結露が生じても、結露口８及び結露排出口９を通じて下方へ排水され、空気層１１に結露水及び湿気が滞留することがない。また、複数の中空部５ｂにより外光が屈折して外部から見えにくくなりフィルム等を貼着して採光を損なうことなくプライバシーを保護でき、同時にポリカーボネートの採用により紫外線カットの効果が発揮されて内装の日焼け及び色褪せを防止できる。また、一方向に列設した中空部５ｂにより曲げに対する強度が著しく向上し、耐衝撃性に優れた二重ガラス戸構造となった。
【産業上の利用可能性】
【００１４】
本発明の二重ガラス戸構造は、戸建住宅や集合住宅，店舗等の窓・ガラス窓を有するドア，トップライト（屋根採光），パーティション等に利用できる。
【図面の簡単な説明】
【００１５】
【図１】実施例の二重ガラス戸の正面図である。
【図２】図１のＡ−Ａ断面図である。
【図３】図１のＢ−Ｂ断面図である。
【符号の説明】
【００１６】
１  サッシガラス戸
２ａ  サッシ横枠
２ｂ  サッシ縦枠
３  サッシガラス
４  ガラス押えビート
５  中空パネル
５ａ  仕切り
５ｂ  中空部
６ａ  縦枠
６ｂ  横枠
７  スペーサ
８  結露口
９  結露排出口
１０  取付金物
１１  空気層
１２  シーリング材
【図１】
2005155243.tif 000003
【図２】
2005155243.tif 000004
【図３】
2005155243.tif 000005